(57)【特許請求の範囲】
【請求項１】
各地域の地域名称と、前記各地域における方位面毎の日射量と、前記各地域の地域名称と対応付けて方位面毎の日射量に対応する塗料の仕様を特定するための、耐用年数・塗料仕様・メーカー等の、塗料の劣化度に応じたデータを含む塗料特定データを記憶した記憶手段と、
任意の地域名称を入力させる入力手段と、
表示手段と、
前記入力された地域名称に従って、前記記憶手段から前記方位面毎の日射量に応じた塗料特定データを読出し、方位面毎の日射量に対応する塗料の仕様を前記表示手段に表示させる制御手段
を備えており、
前記記憶手段は、所定期間後の前記塗料の劣化度を塗料特定データに対応付けて予め記憶し、
前記入力手段により前記所定期間後の塗料の劣化度が前記方位面毎に入力されたとき、前記制御手段は、前記記憶手段に記憶した劣化度と前記入力された劣化度を前記方位面毎に比較し、比較結果に応じて前記表示手段に前記方位面毎に使用されるべき塗料の仕様を前記表示手段に表示させることを特徴とする外装材メンテナンスシステム。
【請求項２】
請求項１に記載の外装材メンテナンスシステムにおいて、
前記制御手段は、前記入力された劣化度が前記記憶手段に記憶した劣化度より小さいと判断した場合、現在使用している塗料の耐久性より低い耐久性の塗料の仕様を前記表示手段に表示させることを特徴とする外装材メンテナンスシステム。
【請求項３】
請求項１または２に記載の外装材メンテナンスシステムにおいて、
前記制御手段は、前記入力された劣化度が前記記憶手段に記憶した劣化度より大きいと判断した場合、現在使用している塗料の耐久性より高い耐久性の塗料の仕様を前記表示手段に表示させることを特徴とする外装材メンテナンスシステム。
【請求項４】
請求項１〜３のいずれか一項に記載の外装材メンテナンスシステムにおいて、
前記制御手段は、前記入力された劣化度が前記記憶手段に記憶した劣化度と異なると判断した場合、所定期間後に使用される方位面毎の塗料の仕様を更新するために前記記憶手段に記憶させることを特徴とする外装材メンテナンスシステム。
【請求項５】
請求項１〜４のいずれか一項に記載の外装材メンテナンスシステムにおいて、
前記記憶手段は、前記各地域の地域名称と対応付けて方位面毎の日射量に対応する塗料の仕様および前記所定期間後に使用される方位面毎の塗料の仕様を物件毎に記憶することを特徴とする外装材メンテナンスシステム。
【請求項６】
請求項１〜５のいずれか一項に記載の外装材メンテナンスシステムにおいて、
前記劣化度は複数の項目から構成され、前記制御手段は、基準方位面の劣化度を基準値として求められる方位面毎に複数の異なる項目の劣化指数を評価して、方位面毎の塗料の仕様を決定し、前記表示手段に表示させることを特徴とする外装材メンテナンスシステム。
【発明の詳細な説明】
【技術分野】
【０００１】
本発明は、外装材メンテナンスシステムに関する。
【背景技術】
【０００２】
従来、建物の外壁のリフォーム塗装にあたって、具体的にどのような下塗り塗料を選定し、あるいは下地調整が必要であるか否か等に関して、熟練した技術者が個々の案件毎に決定しなければならず、時間がかかると共に、技術者の能力についての個人差による不適切な下塗り塗料を選定する等といった問題があった。特許文献１では、これらの問題を解決するために、建物の外壁の外観が各外観診断項目毎にどの劣化段階であるかという入力情報に基づいて、適した下塗り塗料を自動的に求めることができ、また、下地調整が必要であるか否か、下地調整が必要であるとしたらどのような下地調整が必要であるかといったことも自動的に求めることができるリフォーム塗装システムを開示している。
【先行技術文献】
【特許文献】
【０００３】
【特許文献１】特開２００６−９４０５号公報
【発明の概要】
【発明が解決しようとする課題】
【０００４】
しかし、外壁、屋根等の塗料の劣化状況は、地域毎の日射量や建物の方位面毎に異なる。ところが、外壁、屋根等のメンテナンスについて、地域毎に異なる日射量に従って変化する建物の方位面毎の劣化度を考慮して、メンテナンスプログラムを提供するものは見あたらない。
【０００５】
本発明は、地域毎に異なる日射量に従って変化する建物の方位面毎の劣化度を考慮した塗料の仕様を求める外装材メンテナンスシステムを提供することを目的とする。
【課題を解決するための手段】
【０００６】
上記課題の少なくとも一つを解決するために、請求項１に記載の外装材メンテナンスシステム１００は、例えば、図１、図２、図５、図６、図８に示すように、
各地域の地域名称（図２の建築地欄の「Ａ県ａ市」等）と、前記各地域における方位面毎の日射量（図２の「日射量」）と、前記各地域の地域名称と対応付けて方位面毎の日射量に対応する塗料の仕様を特定するための、耐用年数・塗料仕様・メーカー等の、塗料の劣化度（図６）に応じたデータを含む塗料特定データ（図２の「耐用年数」、「塗料仕様」、「メーカー」等）を記憶した記憶手段２０と、
任意の地域名称を入力させる入力手段３０と、
表示手段４０と、
前記入力された地域名称に従って、前記記憶手段２０から前記方位面毎の日射量に応じた塗料特定データを読出し、方位面毎の日射量に対応する塗料の仕様を前記表示手段に表示させる制御手段１０
とを備えており、
前記記憶手段２０は、所定期間後の前記塗料の劣化度（図６）を塗料特定データ（図２の「耐用年数」、「塗料仕様」、「メーカー」等）に対応付けて予め記憶し、
前記入力手段３０により前記所定期間後の塗料の劣化度（図５）が前記方位面毎に入力されたとき、前記制御手段１０は、前記記憶手段２０に記憶した劣化度（図６）と前記入力された劣化度（図５）を前記方位面毎に比較し、比較結果に応じて前記表示手段４０に前記方位面毎に使用されるべき塗料の仕様（図２、図８）を前記表示手段４０に表示させることを特徴とする。
【０００７】
請求項１に記載の発明によれば、入力された任意の地域名称に従って、前記記憶手段２０から前記方位面毎の日射量に応じた塗料特定データを読出すことにより、方位面毎の日射量に対応する塗料の仕様を前記表示手段に表示させることができるため、地域毎に異なる日射量に従った方位面毎の塗料の仕様を求めることができる。
【０００９】
また、前記記憶手段２０に記憶した劣化度（図６）と前記入力された劣化度（図５）を前記方位面毎に比較することより、比較結果に応じて前記表示手段４０に前記方位面毎に使用されるべき塗料の仕様（図２、図８）を前記表示手段４０に表示させることができるため、前記所定期間後の建物の劣化状態に合わせた塗料の仕様を求めることができる。
【００１０】
請求項２に記載の発明は、例えば、図４、図８に示すように、
請求項１に記載の外装材メンテナンスシステム１００において、
前記制御手段１０は、前記入力された劣化度（図５）が前記記憶手段２０に記憶した劣化度（図６）より小さいと判断した場合、現在使用している塗料の耐久性より低い耐久性の塗料の仕様を前記表示手段４０に表示させることを特徴とする。
【００１１】
請求項２に記載の発明によれば、現在使用している塗料の耐久性より低い耐久性の塗料の仕様を前記表示手段４０に表示させることにより、ある方位面において劣化の進行が遅い場合に、より適した塗料の仕様を求めることができる。
【００１２】
請求項３に記載の発明は、例えば、図４、図８に示すように、
請求項１または２に記載の外装材メンテナンスシステム１００において、
前記制御手段１０は、前記入力された劣化度（図５）が前記記憶手段２０に記憶した劣化度（図６）より大きいと判断した場合、現在使用している塗料の耐久性より高い耐久性の塗料の仕様を前記表示手段４０に表示させることを特徴とする。
【００１３】
請求項３に記載の発明によれば、現在使用している塗料の耐久性より高い耐久性の塗料の仕様を前記表示手段４０に表示させることにより、ある方位面において劣化の進行が早い場合に、より適した塗料の仕様を求めることができる。
【００１４】
請求項４に記載の発明は、例えば、図４に示すように、
請求項１〜３のいずれか一項に記載の外装材メンテナンスシステム１００において、
前記制御手段１０は、前記入力された劣化度が前記記憶手段２０に記憶した劣化度と異なると判断した場合、所定期間後に使用される方位面毎の塗料の仕様（図８）を更新するために前記記憶手段２０に記憶させることを特徴とする。
【００１５】
請求項４に記載の発明によれば、所定期間後に使用される方位面毎の塗料の仕様（図８）を前記記憶手段２０に記憶させることにより、塗料の仕様（図８）を更新（図４）することができるため、方位面毎に適切なメンテナンスプログラムを提供できる。
【００１６】
請求項５に記載の発明は、例えば、図４に示すように、
請求項１〜４のいずれか一項に記載の外装材メンテナンスシステム１００において、
前記記憶手段２０は、前記各地域の地域名称と対応付けて方位面毎の日射量に対応する塗料の仕様（図２）および前記所定期間後に使用される方位面毎の塗料の仕様（図８）を物件毎（図４）に記憶することを特徴とする外装材メンテナンスシステム。
【００１７】
請求項５に記載の発明によれば、塗料の仕様（図２、図８）を物件毎（図４）に記憶することにより、各物件の現状に応じた塗料の仕様を記憶することができるため、物件毎に適切なメンテナンスプログラムを提供できる。
【００１８】
請求項６に記載の発明は、例えば、図９に示すように、
請求項１〜５のいずれか一項に記載の外装材メンテナンスシステムにおいて、
前記劣化度は複数の項目（「色差（ΔＥ）」、「光沢保持率」、「白亜化」）から構成され、基準方位面（南面）の劣化度（図５の色差「６」、光沢保持率２０％）を基準値「１．０」として求められる方位面毎に複数の異なる項目の劣化指数（例えば、図５の東面・西面の色差の劣化指数が「２/３」と東面・西面の光沢保持率の劣化指数は、「南面の２倍」）を評価して、方位面毎の塗料の仕様を決定し、前記表示手段４０に表示させる。
【００１９】
請求項６に記載の発明によれば、方位面毎の劣化度の複数の項目を評価することにより、より適切な塗料の仕様を求めることができる。
【発明の効果】
【００２０】
本発明によれば、地域毎に異なる日射量に従って変化する建物の方位面毎の劣化度を考慮した塗料の仕様を求める外装材メンテナンスシステムを提供することができる。
【図面の簡単な説明】
【００２１】
【図１】本発明に係る外壁材メンテナンスシステムを示す機能ブロック図である。
【図２】本発明に係る基本メンテナンスプログラムの一例を示す図である。
【図３】本発明に係る基本メンテナンスプログラムの作成に係わる方位面毎の日射量の具体例を示す図である。
【図４】（ａ），（ｂ）はそれぞれ個別の物件毎のメンテナンスプログラムを示す図であり、（ａ）は更新前のメンテナンスプログラムを示し，（ｂ）は更新後のメンテナンスプログラムを示す。
【図５】新築後１０年目の点検時において測定された方位面毎の劣化度の一例を示す図である。
【図６】促進試験により得たデータにより構築された材料選定データベースの一例を示す図である。
【図７】促進試験により得られる、経過時間に対する劣化度の一例を示す図である。
【図８】（ａ）は基本メンテナンスプログラムから変更された新築後１０年目および２０年目のメンテナンスプログラム、（ｂ）は２５年目のメンテナンスプログラム一例を示す図である。
【図９】本発明に係る外装材メンテナンスシステムの動作例を示すフローチャートである。
【発明を実施するための形態】
【００２２】
以下、図面を参照して本発明の実施の形態について説明する。
【００２３】
＜実施の形態＞
図１は、本実施の形態に係る外装メンテナンスシステム１００と色差測定手段２００を示す。色差測定手段２００としては、色差を測定可能な既存の簡易型分光色差計を用いることができる。
【００２４】
外装メンテナンスシステム１００は、制御手段１０と、記憶手段２０と、入力手段３０と、印刷手段４０と、表示手段５０を備える。
【００２５】
制御手段１０は、記憶媒体２０等に記憶されたオペレーティングシステム（ＯＳ）に基づいて動作し、入力手段３０から入力されたデータ、記憶手段２０に記憶されたデータ等の各種データをアプリケーションプログラムに従って演算処理を行い、表示処理、印刷処理、記憶手段のデータの更新等の各種処理を行うための制御信号等を入出力する。
【００２６】
記憶手段２０は、ＯＳ等のプログラム、表示手段４０に表示する図２に示す基本メンテナンスプログラム、図４に示す物件毎のメンテナンスプログラム、図６に示す選定材料データベース等の各種データを記憶する。
【００２７】
入力手段３０は、地域名称、物件名（Ａ氏等）、色差測定手段により得られた色差（ΔＥ）、光沢保持率、白亜化、カビ・藻等の劣化度に関するデータ等の各種データを入力するためのキーボードやマウス等から構成され、ユーザの操作に応じた操作信号を制御手段１０に出力する。
【００２８】
表示手段４０は、例えば、液晶画面で構成される。表示手段４０は、制御手段１０からの表示信号に応じた画像を画面に表示する。具体的には、表示手段４０は、制御手段１０からの制御信号に従って、記憶手段２０に記憶されたデータをテーブル（表）として画面内に表示する。
【００２９】
印刷手段５０は、例えば、プリンターであり、制御手段１０からの印刷制御信号に基づき動作し、印刷処理を実行する。
【００３０】
図２に示すように、外装材メンテナンスシステム１００において、記憶手段２０は、各地域の地域名称と、部位（外壁、屋根、シーリング材等）と、方位と、前記各地域における方位面毎の日射量と、塗料仕様と、色と、メーカーとからなる基本メンテナンスプログラムＡ００００を記憶している。ここで、記憶手段２０は、前記各地域の地域名称（例えば、建築地欄の「Ａ県ａ市」等）と対応付けて方位面毎の日射量（１，０．６）に対応する塗料の仕様を特定する塗料特定データ（「耐用年数」、「塗料仕様（アクリルシリコン系、ウレタン系）」、「メーカー」等）を記憶している。
【００３１】
制御手段１０は、前記入力手段３０により入力された地域名称が入力されると、前記入力された地域名称に従って、前記記憶手段２０から前記方位面毎の日射量に応じた塗料特定データを読出し、方位面毎の日射量に対応する塗料の仕様を前記表示手段４０に表示させる。例えば、表示手段に表示された建築地の地域名称の入力欄に「Ａ県ａ市」と入力すると、制御手段１０は、タイトル行と共に、基本メンテナンスプログラム「Ａ００００」から「Ａ県ａ市」のデータに相当する行部分（Ａ部）を抽出し、表示手段４０に表示させる。
【００３２】
基本メンテナンスプログラム「Ａ００００」に示す日射量（係数）は、例えば、図３に示すようなグラフとして、建物の方位毎の年間積算日射量（ＭＪ／ｍ2年）を求め、南の鉛直面を「１．０」としたときの方位毎の相対的な日射量として求める。ここで、年間積算日射量（ＭＪ／ｍ2年）は、独立行政法人新エネルギー・産業技術総合開発機構（NEDO）が提供する計算ソフト（METPV３）を用いて算出できる。図３に示す例では、外壁への日射量は南面「１．０」、東面・西面「０．６」、北面「０．３」と日射量（係数）が設定される。本実施の形態では、１０年を基本メンテナンスサイクルとして、この日射量（係数）と実際に使用する塗料の仕様（図２の「耐用年数」、「塗料仕様」、「メーカー」等）の関係が決定される。即ち、日射量（係数）が「１．０」のとき、耐用年数が１０年の塗料が選択され、「Ａ社、アクリルシリコン系」が初期値として設定される。また、東面・西面の日射量（係数）が「０．６」のとき、耐用年数が６年の塗料が、選定材料データベースに存在しないため、耐用年数が８年の塗料が選択され、「Ａ社、ウレタン系」が初期値として設定される。また、日射量（係数）が「０．３」のとき、耐用年数が３年の塗料が、選定材料データベースに存在しないため、耐用年数が５年の塗料が選択され、「Ｃ社、ウレタン系」が初期値として設定される。なお、これらの初期値設定方法は、ユーザが任意に設定可能である。
【００３３】
本実施の形態によれば、入力された任意の地域名称に従って、前記記憶手段２０から前記方位面毎の日射量に応じた塗料特定データを読出すことにより、方位面毎の日射量に対応する塗料の仕様を前記表示手段に表示させることができるため、地域毎に異なる日射量に従った方位面毎の塗料の仕様を求めることができる。
【００３４】
次に、図２から図８を参照して、基本メンテナンスプログラムの変更等について説明する。
【００３５】
前記記憶手段２０は、所定期間後の前記塗料の劣化度（図６）を塗料特定データ（図２の「塗料仕様」、「メーカー」等）に対応付けて予め記憶している。図６においては、「色差（ΔＥ）」、「光沢保持率」、「白亜化」、「カビ・藻」に関する劣化度が示されている。図６に示す劣化度は、促進試験データにより得ることができる。一例として、図７には、色差（ΔＥ）についての促進試験により得られたデータを示している。促進試験は、例えば、太陽光の約１００倍のＵＶ照射量を有するメタルハライドランプを用いて行うことができる。また、「光沢保持率」は既存の光沢時計、「白亜化」は白亜化測定テープ等を用いて、初期設定（新築時）からの劣化度を測定することができる。
【００３６】
そして、図５に示す所定期間（本実施の形態では「１０年」）後に、物件名および塗料の劣化度が前記入力手段３０により前記方位面毎に入力されたとき、前記制御手段１０は、前記記憶手段２０に記憶した劣化度（図６）と前記入力された劣化度（図５）を前記方位面毎に比較する。具体的には、図５に示す物件「Ａ氏」の劣化指数が、東面・西面については「南面の２/３」程度、北面については「南面の１/２」程度である。ここで、南面の劣化度を「１」としたときの各方位面の劣化度の割合を劣化指数という。そして、図５の測定された南面の劣化度「６」については、図６の選定材料データベースの劣化度「６」と一致している。そのため、南面については、「Ａ件ｂ市」の基本メンテナンスプログラムと同じ、「Ａ社、アクリルシリコン系」を採用する。東面・西面については、「Ａ件ｂ市」の基本メンテナンスプログラムにおいて「Ａ社、アクリルシリコン系」を使用していたが、劣化指数が「２/３」程度と初期設定より劣化度が小さく、耐用年数が約６．７年以上の塗料（Ｂ社、ウレタン系、８年）を採用する。同様に、北面については、劣化指数が「１/２」であるため、耐用年数が約５年以上の塗料（Ｃ社、アクリル系、５年）を採用する。
【００３７】
このように、物件「Ａ氏」のメンテナンスプログラムは、図４（ａ）の基本メンテナンスプログラム（Ａ県ｂ市）から、図４（ｂ）に示すように、図８（ａ）および（ｂ）に示すメンテナンスプログラムＡ０００１、Ａ０００２に変更される。ここで、Ａ０００１は、１０年目と２０年目のメンテナンスプログラム（１０年毎のメンテナンスプログラム）を示し、Ａ０００２は、２５年目のメンテナンスプログラム（１５年毎のメンテナンスプログラム）を示す。
【００３８】
図５には、他の劣化度として、光沢保持率と白亜化が示されている。ここで、南面の光沢保持率（劣化度）を「１」としたとき、東面・西面の光沢保持率の劣化指数は、「南面の２倍」程度、北面は「南面の３倍」である。そして、図５の測定された南面の劣化度「２０」については、図６の選定材料データベースの劣化度「２０」と一致している。光沢保持率を基本メンテナンスプログラムを変更するための基準とすると、東面・西面の光沢保持率の劣化指数は、「南面の２倍」であるため、耐用年数５年の塗料（例えば、Ｃ社、アクリル系）が選択可能である。しかし、本実施の形態においては、各種劣化指数（劣化度）を比較した場合に、耐用年数が長い塗料の仕様が選択される。即ち、劣化度は複数の項目（「色差（ΔＥ）」、「光沢保持率」、「白亜化」）から構成され、基準方位面（南面）の劣化度（図５の色差「６」、光沢保持率２０％）を基準値「１．０」として求められる方位面毎に複数の異なる項目の劣化指数（例えば、図５の東面・西面の色差が「２/３」と東面・西面の光沢保持率の劣化指数は、「南面の２倍」）を評価して、方位面毎の塗料の仕様を決定し、前記表示手段４０に表示させる。白亜化にいても、光沢保持率と同じ比較処理が行われる。更に、カビ・藻の発生の有無について判断し、例えば、カビの発生が確認された場合は、防カビ効果を有するピュアアクリル系の塗料に変更するようにメンテナンスプログラムを変更してもよい。
【００３９】
本実施の形態によれば、前記記憶手段２０に記憶した劣化度（図６）と前記入力された劣化度（図５）を前記方位面毎に比較することより、比較結果に応じて前記表示手段４０に前記方位面毎に使用されるべき塗料の仕様（図２、図８）を前記表示手段４０に表示させることができるため、前記所定期間後の建物の劣化状態に合わせた塗料の仕様を求めることができる。更に、劣化度の複数の項目を方位面毎に評価することにより、より適切な塗料の仕様を求めることができる。
【００４０】
また、例えば、図４、図８に示すように、前記制御手段１０は、図５に示す前記入力された東面・西面の色差の劣化度「４」が、図６に示す前記記憶手段２０に記憶した東面・西面の色差の劣化度「６」より小さいと判断した場合、現在使用している塗料（Ａ社、アクリルシリコン系、１０年）の耐久性より低い耐久性の塗料（Ｂ社、ウレタン系、８年）を東面・西面の塗料の仕様として決定し、前記表示手段４０に表示させることを特徴とする。
【００４１】
本実施の形態によれば、現在使用している塗料の耐久性より低い耐久性の塗料の仕様を前記表示手段４０に表示させることにより、ある方位面において劣化の進行が遅い場合に、より適した塗料の仕様を求めることができる。
【００４２】
また、例えば、図４、図８に示すように、前記制御手段１０は、入力された劣化度（例えば、Ｂ氏について１０年目の北面の劣化度（色差）が「１０」であった場合）が前記記憶手段２０に記憶した劣化度「９」より大きいと判断した場合、現在使用している塗料（Ｃ社、ウレタン系、５年）の耐久性より高い耐久性の塗料（Ｂ社、ウレタン系、８年）を北面の塗料の仕様として決定し、前記表示手段４０に表示させることを特徴とする。
【００４３】
本実施の形態によれば、現在使用している塗料の耐久性より高い耐久性の塗料の仕様を前記表示手段４０に表示させることにより、ある方位面において劣化の進行が早い場合に、より適した塗料の仕様を求めることができる。
【００４４】
更に、図４に示すように、前記制御手段１０は、前記入力された劣化度が前記記憶手段２０に記憶した劣化度と異なると判断した場合、所定期間（１０年目、２０年目、２５年目）後に使用される方位面毎の塗料の仕様（図８）を更新（図４（ａ）を図４（ｂ）に更新）するために前記記憶手段２０に記憶させることを特徴とする。ここで、図４（ａ）に示すように、Ａ氏について、基本メンテナンスプログラムＡ００００が初期設定として、２５年目まで登録されている。そのため、上記更新時において、メンテナンスプログラムＡ０００１、Ａ０００２に、例えば、Ａ氏のデータが存在しない場合は、図８においてデータを追加して更新することになる。
【００４５】
本実施の形態によれば、所定期間後に使用される方位面毎の塗料の仕様（図８）を前記記憶手段２０に記憶させることにより、塗料の仕様（図８）を更新（図４）することができるため、方位面毎に適切なメンテナンスプログラムを提供できる。
【００４６】
更に、図４に示すように、前記記憶手段２０は、前記各地域の地域名称と対応付けて方位面毎の日射量に対応する塗料の仕様（図２のＡ００００，図８のＡ０００１，Ａ０００２）および前記所定期間後に使用される方位面毎の塗料の仕様（図２のＡ００００、図８のＡ０００１，Ａ０００２）を物件毎（図４の「Ａ氏」、「Ｂ氏」、「Ｃ氏」、…）に記憶することを特徴とする。
【００４７】
本実施の形態によれば、塗料の仕様（図２、図８）を物件毎（図４）に記憶することにより、各物件の現状に応じた塗料の仕様を記憶することができるため、物件毎に適切なメンテナンスプログラムを提供できる。
【００４８】
次に、図９を参照して、外装材メンテナンスシステムの動作例を説明する。
【００４９】
始めに、制御手段１０は、地域名称、物件名、方位面毎の劣化度を入力するための画面データ、「ＯＫ」ボタン等のデータを記憶手段２０から読み出し表示手段４０に表示させる。制御手段１０は、入力手段３０により、少なくとも地域名称が入力され、「ＯＫ」ボタンが押下される状態まで、待機する（ステップＳ１のＮＯ）。そして、地域名称だけが入力された場合には、制御手段１０は、入力された地域名称に対応するメンテナンスプログラムを基本メンテナンスプログラムＡ００００から抽出し、前記表示手段４０に表示させる（ステップＳ４）。また、物件名および方位面毎の１項目以上の劣化度が入力された場合（ステップＳ１のＹＥＳ、Ｓ２のＹＥＳ）には、前記記憶手段２０に記憶した劣化度（図６）と前記入力された劣化度（図５）を前記方位面毎に比較し、比較結果に応じて前記表示手段４０に前記方位面毎に使用されるべき塗料の仕様（Ａ０００１，Ａ０００２）を前記表示手段４０に表示させる（ステップＳ４）。
【００５０】
本実施の形態によれば、任意の地域名称だけが入力された場合には、前記記憶手段２０から前記方位面毎の日射量に応じた塗料特定データを読出すことにより、方位面毎の日射量に対応する塗料の仕様を前記表示手段に表示させることができるため、地域毎に異なる日射量に従った方位面毎の塗料の仕様を求めることができる。
【００５１】
また、本実施の形態によれば、物件名と劣化度が入力された場合には、前記記憶手段２０に記憶した劣化度（図６）と前記入力された劣化度（図５）を前記方位面毎に比較することより、比較結果に応じて前記表示手段４０に前記方位面毎に使用されるべき塗料の仕様（図２、図８）を前記表示手段４０に表示させることができるため、前記所定期間後の建物の劣化状態に合わせた塗料の仕様を求めることができる。
【符号の説明】
【００５２】
１０   制御手段
２０   記憶手段
３０   入力手段
４０   表示手段
５０   印刷手段
１００ 外装材メンテナンスシステム
２００ 色差測定手段
【図１】
0005684609.tif 000002
【図２】
0005684609.tif 000003
【図３】
0005684609.tif 000004
【図４】
0005684609.tif 000005
【図５】
0005684609.tif 000006
【図６】
0005684609.tif 000007
【図７】
0005684609.tif 000008
【図８】
0005684609.tif 000009
【図９】
0005684609.tif 000010